(57)【特許請求の範囲】
【請求項１】
地面の水を吸収する吸水性部材を外周に有する回転ローラと、この回転ローラを回転自在に支持する軸と、この軸に固定された固定フレームと、取っ手を有する可動フレームと、固定フレームと可動フレームとを可動可能に連結する連結軸と、可動フレームに設けられ可動フレームの回転に合わせて回転する角度調節部材と、上記回転ローラの回転により回転して吸水性部材を押圧する圧搾ローラと、圧搾ローラを回転自在に支持する支持軸と、当該支持軸を軸支し、上記連結軸によって可動可能に支持された連携部材とを備え、可動フレームを開く動作により角度調節部材が回転され、当該角度調節部材に形成された係止部が連携部材を係止することによって連携部材も連結軸周りに回転されることで、圧搾ローラを上記吸水性部材に対して接触させ吸水作業に入るとともに、可動フレームを折り畳む動作により、角度調節部材に形成された係止部と連携部材との係止が解除され、連携部材が連結軸周りに回転して、圧搾ローラを上記吸水性部材に対して離した状態で保管されることを特徴とするローラ型吸水機。
【請求項２】
前記固定フレームに、前記角度調節部材に対して可動フレームの回転開始位置と回転停止位置をロックするロック手段が設けられていることを特徴とする請求項１記載のローラ型吸水機。
【発明の詳細な説明】
【発明の属する技術分野】
【０００１】
この発明は、道路面等に付着した水を除去する吸水機の技術分野に属し、コンクリート面、アスファルト面上等や芝生面等に付着した水のみならず、土砂を含んだ水をも効率良く吸水して除去することが可能なローラ型吸水機に関する。
【従来の技術】
【０００２】
従来、ゴルフ場、競馬場、野球場などの芝生面に降雨等により水が溜まると競技に支障を来たすことから、この溜まった水を吸水して排除する吸水機が種々開発されている。このような吸水機としては、例えば、実公昭６３−３２１７５号公報や実公昭６３−３５０６０号公報に示すものが既に開示されている。これらの考案は、図１０に示すように、円筒壁に多数の孔１０１ａが形成された中空ローラ１０１と、この中空ローラ１０１の円筒壁面を覆う吸水性部材１０２と、中空ローラ１０１を回転自在に支持する内部中空の中空軸１０３と、この中空軸１０３に固定されたフレーム１０４と、このフレーム１０４に取り付けられ上記中空ローラ１０１の上方から吸水性部材１０９を押圧する押圧ローラ１０５と、上記中空ローラ１０１内に収納され上方が開放されている受水タンク１０６とを主な構成とする吸水機である。そして、上記中空軸１０３の一端側には配水管１０７が設けられ、上記中空ローラ１０１の真上には、押圧ローラ１０５の押圧力を調節するための回転ハンドル１０８が設けられている。なお、実公昭６３−３２１７５号公報は、上記主な構成の吸水機を車体の前後に設けた吸水車である。
【０００３】
したがって、上記従来の吸水機によれば、水が溜まった芝生面で中空ローラ１０１を回転させると、円筒壁の吸水性部材１０９が水分を吸収するが、この水分は中空ローラ１０１の真上の押圧ローラ１０５により圧搾される。そして、この圧搾された水は中空ローラ１０１の多数の孔１０１ａを通って、中空ローラ１０１内の受水タンク１０６に貯められる。また、受水タンク１０６の内部と中空軸１０３とは連通していて、受水タンク１０６に貯められた水は上記配水管１０７から排出できるようになっている。
【発明が解決しようとする課題】
【０００４】
ところで、野球場やゴルフ場等の芝生面に溜まった水には、多少の差はあっても土砂や塵埃等も混在している。したがって、土砂等も水と同時に吸水して排出すること望まれている。例えば、野球場等では芝生面よりもむしろ土の部分の水を排出することができなければ競技を開始できない。また、道路の舗装や安全塗装施工（ライン引きや文字の塗装）等のためには、コンクリート面やアスファルト面上の土砂等を水とともに除去しなければ、舗装の前に土砂等の清掃の負担が大きくなる。
【０００５】
しかしながら、従来の吸水機は、基本的に芝生面に溜まった雨水等のみしか吸水することができず、野球場等のような土砂を含んだ水への対策が十分でない問題を有する。すなわち、従来の吸水機は、多数の孔１０１ａが形成された中空ローラ１０１の円筒壁面を覆うように吸水性部材１０９が設けられているが、この吸水性部材１０９を土砂等は通過しないために、水だけしか吸水することができなかった。また、押圧ローラ１０５は、吸水性部材１０９を通過しない土砂等も同時に押圧するために、吸水効率が悪く、しかも、上記回転ハンドル１０８による押圧ローラ１０５の押圧力の調節が良好に作用しないことが多かった。なお、上記従来の吸水機を無理に野球場等の土砂を含んだ水に対して使用すると、吸水性部材１０９及び中空ローラ１０１の多数の孔１０１ａに目ズマリを生じさせるおそれがあった。
【０００６】
さらに、上記従来の吸水機では、受水タンク１０６は中空ローラ１０１内に配されているために、その支持が不安定であるばかりか、どれくらい貯水しているか確認が困難であった。また、受水タンク１０６のみを清掃したり、又、受水タンク１０６が損傷等した場合に修理するような場合には、中空ローラ１０１を分解しなければならない等、種々の問題を発生させていた。
【０００７】
そこで、本発明は、芝生面のみならず土の上に溜まった土砂等を含んでいる水であっても、このような水を効率よく吸水することが可能であり、しかも、分解修理の必要がなく清掃も容易なローラ型吸水機を提供することを目的とする。
【課題を解決するための手段】
【０００８】
本発明の請求項１記載のローラ型吸水機は、地面の水を吸収する吸水性部材を外周に有する回転ローラと、この回転ローラを回転自在に支持する軸と、この軸に固定された固定フレームと、取っ手を有する可動フレームと、固定フレームと可動フレームとを可動可能に連結する連結軸と、可動フレームに設けられ可動フレームの回転に合わせて回転する角度調節部材と、上記回転ローラの回転により回転して吸水性部材を押圧する圧搾ローラと、圧搾ローラを回転自在に支持する支持軸と、当該支持軸を軸支し、上記連結軸によって可動可能に支持された連携部材とを備え、可動フレームを開く動作により角度調節部材が回転され、当該角度調節部材に形成された係止部が連携部材を係止することによって連携部材も連結軸周りに回転されることで、圧搾ローラを上記吸水性部材に対して接触させ吸水作業に入るとともに、可動フレームを折り畳む動作により、角度調節部材に形成された係止部と連携部材との係止が解除され、連携部材が連結軸周りに回転して、圧搾ローラを上記吸水性部材に対して離した状態で保管されることを特徴とする。
【０００９】
この発明によれば、上記固定フレームと可動フレームとが連携部材により連携されているために、取っ手を有する可動フレームを可動させることにより、上記連携部材を介して圧搾ローラが吸水性部材に対して接離可能に移動させることができ、作業者は可動フレームを開くワンタッチ動作により吸水作業に入ることが可能である。また、可動フレームが折り畳み自在とされているために、保管スペースの有効利用や運搬の際にも便利であるほか、保管時には、圧搾ローラの外周や吸水性部材を損傷させたり、吸水性部材に凹みのような癖をつけるような事態も有効に防止できる。
【００１０】
また、上記発明によれば、圧搾ローラも貯水バケットも従来のように回転ローラの中に設けられるものではなく、回転ローラの外周に設けられるものであるから、これらの掃除がし易く、又、これらが損傷したような場合にも容易に補修することができる。また、貯水バケットに溜まった水の量を容易に視認することができる。
【００１１】
【００１２】
【００１３】
【００１４】
【００１５】
本発明の請求項２記載のローラ型吸水機は、前記請求項１記載の発明を前提として、前記固定フレームに、上記角度調節部材に対して可動フレームの回転開始位置と回転停止位置をロックするロック手段が設けられていることを特徴とする。
【００１６】
この請求項２記載の発明によれば、取っ手を有する可動フレームを開く方向に移動させて上記回転停止位置まで移動すると、ロック手段が角度調節部材に対してロックし、他方、可動フレームを閉じる方向に移動させて上記回転開始位置まで移動すると、ロック手段が角度調節部材に対してロックすることとなる。
【００１７】
【００１８】
【００１９】
【００２０】
【発明の実施の形態】
【００２１】
以下、本発明の一実施の形態を図面を参照しながら説明する。
【００２２】
（本実施の形態の基本的構成）
本実施の形態は、図１に示すように、野球場等での使用に適するもので、回転ローラ２とこの回転ローラ２を回転自在に支持する軸４と、この軸４に固定された固定フレーム３と、この固定フレーム３を介して取り付けられる圧搾ローラ１５と、この圧搾ローラ１５により圧搾された水を貯める貯水バケット１０とを備えたことを基本的構成としたローラ型吸水機１である。
【００２３】
まず、上記回転ローラ２は、ステンレス製の円筒状のもので、この円筒状の中央を軸４が貫通して、回転ローラ２の左右側面に突出している。そして、この左右の突出した軸４に対して、軸受けを介して一対の固定フレーム３が固定されている。したがって、本実施の形態の回転ローラ２は、従来例と異なり、円筒状の外周壁に多数の孔は形成されておらず、内部にも受水タンク等は配されておらず、上記軸４を中心として回転自在とされているにすぎない。本実施の形態の回転ローラの大きさは、円筒状の直径が約４００ｍｍであり、上記左右側面の間隔が約４５０ｍｍであるが、使用場所や使用の仕方等によって適宜変更使用される。
【００２４】
上記回転ローラ２の円筒面の周囲には、吸水性部材９が接着剤により接着されている。この吸水性部材９としては、海綿状のゴム、合成樹脂製品などで作られるスポンジの他、発泡ウレタン、発泡ゴム、各種織物、不織布などで作られたものが使用可能である。したがって、この回転ローラ２を水が溜まった土の上で転動させると、吸水性部材９は土砂等を含んだ水を吸収しながら回転する。本実施の形態の吸水性部材９は、厚さが約２０ｍｍのスポンジが使用されている。ここで、上記回転ローラ２の回転により吸水性部材９は圧縮されるが、上記回転ローラ２の左右側面部の外周に、吸水性部材９の弾力が円筒状の外周面にまで圧縮させることがないように、図２に示すように、圧縮力を調整する凸状の圧縮調整部７を設けることも可能である。
【００２５】
上記一対の固定フレーム３の中途部には、この固定フレーム３を斜め上方に支持する支持フレーム５が取り付けられている。この支持フレーム５は、固定フレーム３にほぼ垂直に溶接されており、これにより固定フレーム３を約４０〜５０度の角度で支持している。また、支持フレーム５の端部には、回転ローラ２を主輪としてこれを補助する補助輪８が軸を介して取り付けている。したがって、上記補助輪８により回転ローラ２は安定した走行が可能になっており、また、上記約４０〜５０度の角度により作業者の吸水作業に適するようになっている。そして、この支持フレーム５に貯水バケット１０が取り付けられることにより、雨水等が多量に貯水される貯水バケット１０の安定性が図られている。
【００２６】
上記貯水バケット１０は、ステンレス製のもので、上部が開放されるバケット本体１０ａと蓋体１０ｂとから構成され、上記支持フレーム５にボルトとナット等により取り付けられている。また、この取り付け位置は、上記圧搾ローラ１５に近接した下方位置である。バケット本体１０ａは、断面ほぼ逆三角形の底部１０ｃを有するものであり、上部が開放されており、この開方上部に蓋体１０ｂが着脱自在に取り付けられている。この蓋体１０ｂは、板状のもので多数の細かな透過孔１１が形成されている。この多数の透過孔１１は、土砂等を含んだ水を可能な限り水だけを貯水バケット１０に貯水させるために形成されている。実際には、細かな土砂や塵埃も通過するが、上記透過孔１１により比較的大きな土砂等は、水分が除去された状態で堆積される。なお、可能な限り水だけを貯水バケット１０に貯水させるために、蓋体１０ｂに布製やニット製等の濾紙状の役割を果たす部材を配することも実施に応じ任意である。
【００２７】
また、貯水バケット１０の一側面には、上記逆三角形状の底部１０ｃに連通する排出管１２が回転可能に設けられている。この排出管１２は、吸水作業時には上方に向けられ、排出作業時に下方向に回転されて使用される。また、上記貯水バケット１０には、上記回転ローラ２の外周形状に沿って形成された円弧状に突出した突出部１０ｄが設けられている。これにより、この突出した分だけ貯水バケット１０の大きさを大きくして貯水量を大きくできると共に、圧搾ローラ１５により圧搾される前に落下する水も貯水することが可能となっている。さらに、圧搾ローラ１５により搾った水を貯水バケット１０に案内板５ａを支持フレーム５に設けて貯水効率が高められている（図３参照）。なお、この貯水バケット１０は約１２Ｌの貯水量を有する。
【００２８】
ここで、貯水バケット１０の他の例としては、図９に示すように、支持フレーム５に係合する係合部材や補助フレーム等（図中符号Ｆ）を設ける等して、支持フレーム５に着脱自在に取り付け、取っ手を設けたりすることも可能である。このようにして貯水バケット１０が取り外せると、別の廃棄用容器に簡単かつ即座に移すことができるとともに、上記排出管１２が必要なくなり、又、貯水バケット１０の形状も底部１０ｃを逆三角形状に形成せずとも良くなる利点がある。
【００２９】
次に、圧搾ローラ１５は、上記吸水性部材９を押圧して水を抽出する円筒状のもので、ステンレス製で作られている。この圧搾ローラ１５は、円筒状の外周面１６に多数の孔１６ａが形成されており、この多数の孔１６ａを有する外周面１６で吸水性部材９の水を圧搾できるようになっている。本実施の形態の圧搾ローラ１５は穴あけ鋼鈑（パンチングメタルとも呼ばれる）によるもので、多数の孔１６ａは、直径約５〜８ｍｍの大きさで、各孔１６ａと孔１６ａとの間隔は約４〜６ｍｍとされている。そして、この圧搾ローラ１５は、後述するように、固定フレーム３と取っ手を有する可動フレーム６とを連携する連携部材２１を介して回転ローラ２の外周の所定角度位置に設けられている。具体的には、回転ローラの進行方向とは反対側であって、上記軸４を中心として回転ローラ２の真上を０度の位置とし回転ローラ２の真下を１８０度の位置として、約３０〜６０度の位置に設けられている。しかし、後述するように、上記約３０〜６０度の位置を超える範囲に圧搾ローラ１５を設けることも可能である。
【００３０】
このように、本実施の形態は、圧搾ローラ１５も貯水バケット１０も従来のように回転ローラ２の真上や或いは内部に設けられるものではなく、回転ローラ２の外周の所定角度位置に設けられるものであるから、これらの掃除がし易く、又、これらが損傷したような場合にも容易に補修することができ、しかも、圧搾ローラを外部１５から容易に交換することもできるようになされている。また、可動フレーム６を回転ローラ２の上方に折り畳むことも可能となる。
【００３１】
また、上記一対の固定フレーム３の他端側は、連結軸３３を介して可動フレーム６に連結されている。他方、上記円筒状の圧搾ローラ１５の中央を支持軸１７が貫通して、圧搾ローラ１５の左右側面に突出しており、この支持軸１７を回転ローラ２側に移動させるための連携部材２１が設けられている。すなわち、上記圧搾ローラ１５は、吸水性部材９に対して接離可能に構成されており、後述するように、固定フレーム３と可動フレーム６とが連携部材２１と角度調節部材３１とロック手段３５を介して、上記可動フレーム６の回転動作により圧搾ローラ１５が吸水性部材９に対して接離可能に移動させ得るようになっている（図８参照）。
【００３２】
本実施の形態のローラ型吸水機１は、上記基本的構成を採用することにより、実際に雨が降った後の野球場で使用すると、次のように動作する。すなわち、水が貯まった土の地面の上を回転ローラ２で回転させる（図中矢印Ａ方向）と、水分を吸水した吸水性部材９が回転ローラ２の回転と共に回転するが、この回転ローラ２の回転により圧搾ローラ１５は逆方向に回転する（図中矢印Ｂ方向）。
【００３３】
そして、圧搾ローラ１５が吸水性部材９を押圧することにより水が抽出されて、この水は外周に多数の孔１６ａが形成される内部中空の円筒状の圧搾ローラ１５を通過して、圧搾ローラ１５の下方に設けられている貯水バケット１０に貯めることとなる。この際、土の地面の水には、土砂や塵埃等が含まれており、又、コンクリート面、アスファルト面等や芝生面でも土砂や塵埃が混入している場合がほとんどであるが、圧搾ローラ１５の多数の孔１６ａを通過する大きさの土砂等は、この孔１６ａを水と共に通過して貯水バケット１０に貯められる。しかし、上記多数の孔１６ａを通過しない大きさの土砂等は、圧搾ローラ１５の回転により外部にはじき出される。すなわち、圧搾ローラ１５には、多数の孔１６ａとこの穴が形成されない外周面１６を有するが、この面１６が落下しようとする水を一旦押し上げるように逆回転により圧搾する。しかも、上記位置に圧搾ローラ１５が設けられていることにより、比較的大きな土砂等は自然落下により外部に弾かれると共に、上記圧搾ローラ１５により外部に弾かれる。このために、次の回転により吸水性部材９が地面の水分を吸収する際、十分な吸収力が得られる。さらに、圧搾ローラ１５が吸水性部材９を押圧する際に、比較的大きな土砂等を押圧することはないので、この圧搾ローラ１５に無理な負荷が掛かるなどして損傷するような事態も防止することが出来る。なお、上記比較的大きな土砂等は、回転ローラ２と圧搾ローラ１５の当接箇所で堆積するものがあるが、これは後述する可動フレーム６の開閉により除去可能である。
【００３４】
そして、圧搾ローラ１５を通過した土砂等は、上記透過孔１１を有する蓋体１０ｂの上に水分が除去されて堆積されるために、この蓋体１０ｂを外すと、水分が除去された土砂等を廃棄することができる。そして、ある程度堆積される毎に、この水分が除去された土砂等を廃棄することで、ローラ型吸水機１が土砂等の重みから開放され、軽量化を維持することとなる。このように、本実施の形態によれば、地面の上の土砂等を含んだ水を、圧搾ローラ１５の多数の孔１６ａによりある程度選別しながら貯水バケット１０に貯めることができるので、土砂等を含んだ水を効率良く吸水して除去することが可能である。この貯水バケット１０としては、圧搾ローラ１５にできる限り近くの配置が好ましく、その大きさは、圧搾ローラ１５により弾かれる水や土砂等を考慮すると、できる限り大きい方が好ましい。また、図示しないが
支持フレーム５に吸水性部材９の水を貯水バケット１０に案内する案内板を設けて貯水効率が高めることも可能である。
【００３５】
なお、上記吸水作業が終了した場合には、乾いた地面の上を回転させると良い。本実施の形態のローラ型吸水機１には、吸水性部材９に付着した土砂等をはじく圧搾ローラ１５が設けられているために、吸水性部材９に付着した土砂等を除去して、自動的に清掃されるからである。
【００３６】
ところで、本実施の形態のローラ型吸水機１によれば、従来の吸水機よりも吸水性部材９の含んだ水を圧搾ローラ１５により圧搾して多量に貯水バケット１０に貯水することができた（吸水効率を高めることができた）。かかる理由としては、第１に考えられることは、上記圧搾ローラ１５は地面に近ければ近い程、吸水性部材９の含んだ水を早く圧搾することができるためと考えられる。第２としては、圧搾ローラ１５の外周面１６の多数の孔１６ａが吸水性部材９から落下しようとする水を一旦押し上げるようにしながら圧搾するためである。そして、外周面に多数の孔１６ａを有する圧搾ローラ１５は、その外周面１６で落下しようとする前に、上記逆回転により一旦押し上げるようにしながら吸水性部材９に対して押圧（圧搾）して水を抽出するために、土砂等を含んだ水を効率良く貯水バケット１０に貯水するからである。また、上記案内板を貯水バケット１０の上方に設けると更に貯水効率が高めることも可能である。
【００３７】
したがって、本実施の形態では、圧搾ローラ１５の位置は、回転ローラ２の軸４を中心として回転ローラ２の真上を０度の位置として約３０〜６０度の位置として説明したが、上記理由を満たせば、上記３０〜６０度の位置を超える範囲で設けることも可能である。例えば、回転ローラ２と圧搾ローラ１５の大きさの比率によって異なるが、上記角度が約９０度を超えることも可能である。また、上記回転ローラ２の真上の０度の位置を除き、回転ローラの進行方向であっても反対方向であっても良い。ただし、圧搾ローラ１５の下方位置に貯水バケット１０を設ける必要があることから、回転ローラ２の真上を０度の位置として約１８０度に近い位置に設けることは不可能である。
【００３８】
これに対して、従来の吸水機は、中空ローラ１０１の真上に押圧ローラ１０５が設けられたものであり、吸水性部材１０９に含まれた水が上記真上に行く前に落下しようとする（図８参照）。また、押圧ローラ１０５は土砂等も同時に押圧する。このため、吸水効率が極めて悪く、又、押圧ローラ１０５やこの押圧力を調節する回転ハンドル１０８等が損傷する率が高く、更に、多数の孔１０１ａが形成された中空ローラ１０１及び吸水性部材１０９に目ズマリを生じさせるおそれがある。さらに、受水タンク１０６は、安定性に欠け、大きくするにも限界がある。
【００３９】
（本実施の形態の固定フレームと可動フレームの連携構造）
本実施の形態のローラ型吸水機は、図３及び図４に示すように、作業者の作業性を考慮して、上記固定フレーム３と取っ手を有する可動フレーム６とは、連結軸と連携部材２１と角度調節部材３１とロック手段３５等により連携した動作が可能となっている。そして、簡単な作業で可動フレーム６の折り畳み動作と、この折り畳み動作に合わせて圧搾ローラ１５の吸水性部材９に対する押圧動作が可能に構成されている。
【００４０】
まず、連携部材２１は、基端部２２とこの基端部２２から延在される第１の連携部２３と第２の連携部２４を放射状に有する部材であり、固定フレーム３と可動フレーム６との間にこれらが連携可能なように一対設けられている（図１参照）。すなわち、上記基端部２２は、断面四角形の筒状を呈するもので、内部に圧搾ローラ１５を回転自在に支持する支持軸１７を吸水性部材９の方向に付勢する付勢部材２６とを備えている。この付勢手段２６はコイルバネであり、このコイルバネの付勢力（バネ力）を調節する調節ボルト２７が基端部２２の上方に取り付けられている。また、上記基端部２２の下方側には、上記圧搾ローラ１５の内部を貫通する支持軸１７を通す長穴２８が形成されている（図７参照）。したがって、上記支持軸１７の両端部を各々上記長穴２８に通し、ナット等を介して止めることが可能となっている。なお、圧搾ローラ１５の左右側面部と上記基端部２２との間には、図示しないが、円環状のスペーサが介在されている。
【００４１】
また、上記連携部材２１の第１の連携部２３は、板状のもので斜め上方に向くもので、その先端部には、固定フレーム３を把持するフック部２３ａが形成されている。他方、上記第２の連携部２４は、板状のものでほぼ垂直方向に向くもので、その先端部には、上記連結軸３３により止める穴が形成されている。したがって、上記連結軸３３を上記各穴に通して、ナット等を介して止められている（図７参照）。
【００４２】
このようにして、上記連携部材２１を固定フレーム３と可動フレーム６とを連携させて取り付けると共に、上記基端部２２の長穴２８に圧搾ローラ１５の支持軸１７を通してナット等で止めると、上記可動フレーム６を開いた状態では、圧搾ローラ１５は回転ローラ２の約３０度から６０度の間に垂下する。しかし、上記第１の連携部２３のフック部２３ａにより一定以上には垂下することはない。なお、上記第２の連携部２４には、この圧搾ローラ１５の垂下した状態を調節する予備用の穴を形成しておくことが好ましい。
【００４３】
次に、上記一対の固定フレーム３には、中央が取っ手とするコ字状の可動フレーム６が回転可能に取り付けられている。すなわち、可動フレーム６の端部には、扇状の角度調節部材３１と補強部（図示せず）が断面コ字状に溶接され、この断面コ字状の空間部に固定フレーム３の端部が挿入可能となっており、上記連結軸３３により固定されている。したがって、可動フレーム６は、一対の固定フレーム３に対して上記連結軸３３を中心として可動可能に構成されている。
【００４４】
また、この扇状の角度調節部材３１には、脚部兼用の係止部３１ｃが形成されている。この脚部兼用の係止部３１ｃは、取っ手を折り畳んで貯水バケット１０の一側面を地面に設置させた場合の脚部となるとともに（図４参照）、上記可動フレーム６を回転させた場合に、上記連携部材２１の第２の連携部２４に係止して、連携部材２１を上方側に押し上げる働きをするものである。
【００４５】
また、扇状の角度調節部材３１の左右端部には、ロック手段３５によりロックされるための係止部３１ａ，３１ｂが各々形成されている。本実施の形態の係止部３１ａ，３１ｂは、可動フレーム６が開放された状態を基準として、この可動フレーム６の回転開始位置では、扇状の外周部を切り欠いた凹部３１ａとして形成され、回転停止位置では扇状の一方の側面部３１ｂをそのまま利用するものとして構成されている。すなわち、上記凹部３１ａが可動フレーム６の開状態の始点とされ、他方、上記扇状の一方の側面部３１ｂが可動フレーム６の閉状態の終点とされている。ここで、図７に示すように、連結軸３３との脚部兼用の係止部３１ｃとの間隔αを変更することにより、圧搾ローラ１５の吸水性部材９に対する押圧状態の微妙な設定も可能とされている。
【００４６】
次に、ロック手段３５は、可動フレーム６の回転を防止するもので、図８に示すように、角度調節部材３１の外周に沿って移動するロックバー３６と、このロックバー３６を案内する案内穴３７ａを有する固定板３７と、ロックバー３６を斜め上方に付勢する付勢部材３８等とから構成されている。上記固定板３７は、一対の固定フレーム３の内側に対向するように溶接止めされている。また、上記ロックバー３６はその左右端部が上記一対の固定板３７の各案内穴３７ａを通過して一対の固定フレーム３，３の外部にまで及ぶ長さを有し、上記角度調節部材３１の外周に係止されるようになっている。さらに、上記付勢手段３８はバネ部材であり、このバネ部材の一端部が固定板３７に固定され、他端部がロックバー３６に固定されている。したがって、ロックバー３６を斜め下方に手で押し下げると、角度調節部材３１の凹部３１ａからロックバー３６が外れて、可動フレーム６の回転により扇状の角度調節部材３１の外周をロックバー３６が摺動させて行くことが可能となる、そして、上記回転停止位置では、上記バネ部材３８の付勢力により扇状の一方の側面部３１ｂにロックされるようになっている。
【００４７】
次いで、本実施の形態のローラ型吸水機１の可動フレーム６の開閉動作について図５乃至図７を用いて説明する。ここでは、本実施の形態の可動フレーム６を開いた状態から閉じる方向（図中矢印方向）に可動させる場合で説明する。
【００４８】
まず、取っ手を有する可動フレーム６が開いた状態では、図３に示すように、ロック手段３５のロックバー３６が角度調節部材３１の凹部３１ａにロックされているので、作業者は手で上記ロックバー３６を上記バネ部材に抗して押し下げることにより、ロックを解除する（図５参照）。そして、可動フレーム６を回転ローラ２の上方に回転させて行くと、上記ロックバー３６が扇状の角度調節部材３１の外周に沿って摺動する（図６参照）。すると、上記脚部兼用の係止部３１ｃに連携部材の２１の第２の連携部２４を係止するが、更に可動フレーム６を移動させて行くと、上記連携部材２１の基端部２２に支持されている圧搾ローラ１５の支持軸１７が吸水性部材９から離れることとなる。なお、上記脚部兼用の係止部３１ｃに第２の連携部２４が係止され更に可動フレーム６が移動されると、上記第１の連携部２３の先端のフック部が固定フレーム３から外れる。そして、最終的には図７に示すように、可動フレーム６の回転停止位置である角度調節部材３１の一方の側面部３１ｂにロックバー３６が掛かると、上記バネ部材３８の付勢力が働き斜め上方に引き上げられてロックされる。
【００４９】
ここで、上記脚部兼用の係止部３１ｃに連携部材２１の第２の連携部２４が係止されて更に可動フレーム６を移動させて行くと、図６及び図７に示すように、圧搾ローラ１５の内部を貫通する支持軸１７が吸水性部材９の側に移動させられることとなる。したがって、取っ手を有する可動フレーム６を開く状態に合わせて、圧搾ローラ１５の吸水性部材９に対する押圧状態が得られることとなる。このことは、本実施の形態のローラ型吸水機１を使用しない場合には、圧搾ローラは吸水性部材９を押圧していないので、保管時等において、圧搾ローラ１５の外周面１６や吸水性部材９を損傷させたり、付勢手段２６の付勢力が失われる等の事態を未然に防止することができる。そして、上記可動フレーム６を折り畳んだ状態では、図４に示すように、上記補助輪８と角度調節部材３１の脚部兼用の係止部３１ｃが地面に設置し、回転ローラ２が地面に接地しないように置かれるために、吸水性部材９が地面と接して損傷するような事態も防止できる。また、このように可動フレーム６が折り畳み自在とされているために、保管スペースの有効利用や運搬の際にも便利である。
【００５０】
他方、作業者が本実施の形態のローラ型吸水機１を野球場等で使用するために、上記可動フレーム６を回転させる場合は、まず、上記回転ローラ２と補助輪８が地面に設置する向きに置き換えて、上記説明とは逆に、取っ手を有する可動フレーム６を回転させる。そして、最終的に角度調節部材３１の回転停止位置の凹部３１ａにロックバー３６を係止させると、図３に示すように、上記取っ手を有する可動フレーム６の使用が可能な状態となる。かかる可動フレーム６の傾斜角度は、約４０〜５０度であり作業者の作業姿勢に好適であり、作業者はこの姿勢のまま可動フレーム６の取っ手に手を掛けて押すと、回転ローラ２が回転する。
【００５１】
以上、本実施の形態のローラ型吸水機１は、手動式のもので説明したが、本発明の基本的構成は、モータやエンジン等が搭載された自動車型のものにも適用可能である。また、本実施の形態のローラ型吸水機１は、野球場等の屋外で使用する場合で説明したが、本発明は、屋内の清掃用具としても勿論使用が可能である。さらに、本実施の形態の可動フレームの折り畳み構造は、同様な構造の回転ローラに対しても広く取り付けることが可能である。
【発明の効果】
【００５２】
発明のローラ型吸水機は、上記回転ローラの外周の所定角度の位置に設けられる多数の孔を有する圧搾ローラにより、地面の上の土砂等を含んだ水の比較的大きな土砂等を排除して、上記多数の孔を通過する水や細かな土砂だけをある程度選別しながら貯水バケットに貯めることができるので、土砂等を含んだ水をも効率良く吸水して除去することが可能である。したがって、芝生面等に付着した水のみならず、コンクリート面、アスファルト面上等や野球場等に広く使用可能である。
【００５３】
また、本発明は、圧搾ローラも貯水バケットも従来のように回転ローラの真上や中に設けられるものではなく、回転ローラの外周に設けられるものであるから、これらの掃除がし易く、又、これらが損傷したような場合にも容易に補修することができる。また、貯水バケットは、回転ローラの外周で支持フレームにより支持されることから、走行に対して安定化するばかりか、着脱可能で、貯水量を考慮した大型化を図ることが可能である。
【００５４】
また、本発明の取っ手を有する可動フレームは、固定フレームに対して回転可能であり、この可動フレームの回転に合わせて圧搾ローラを吸水性部材に対して接離可能に構成されているために、作業者は可動フレームを開くワンタッチ動作により吸水作業に入ることが可能であり、他方、保管時には、圧搾ローラの外周や吸水性部材を損傷させたり、吸水性部材に凹みのような癖をつけるような事態も有効に防止できる。
【００５５】
さらに、本発明の取っ手を有する可動フレームは、上記角度調節部材に対して可動フレームの回転開始位置と回転停止位置をロックするロック手段が設けられていることから、吸水作業時において可動フレームの移動を防止でき、安全作業が可能となる。
【図面の簡単な説明】
【００５６】
【図１】本発明の第１の実施の形態のローラ型吸水機を示す斜視図である。
【図２】上記第１の実施の形態のローラ型の吸水機の回転ローラの他の例を示す断面図である。
【図３】上記第１の実施の形態のローラ型の吸水機の取っ手を開放させた状態を示す側面図である。
【図４】上記第１の実施の形態のローラ型の吸水機の取っ手を折り畳んだ状態を示す側面図である。
【図５】上記第１の実施の形態の圧搾ローラの接離移動を説明する側面図である。
【図６】上記第１の実施の形態の圧搾ローラの接離移動を説明する側面図である。
【図７】上記第１の実施の形態の圧搾ローラの接離移動を説明する側面図である。
【図８】上記第１の実施の形態のロック手段を示す側面図である。
【図９】本発明の第２の実施の形態のローラ型吸水機を示す斜視図である。
【図１０】従来の吸水機の一例を示す断面図である。
【符号の説明】
１ ローラ型吸水機、２ 回転ローラ、３ 固定フレーム、４回転ローラの軸、５ 支持フレーム、６ 可動フレーム、８ 補助輪、９ 吸水性部材、１０ 貯水バケット、１０ａ バケット本体、 １０ｂ 蓋体、１０ｃ 底部、１１ 透過孔、１５ 圧搾ローラ、１６ 外周面、１６ａ 圧搾ローラの孔、 １７ 支持軸、２１ 連携部材、２２ 基端部、２３ 第１の連携部、２４ 第２の連携部、３１ 角度調節部材、３１ａ 角度調節部材の凹部（係止部）、３１ｂ 角度調節部材の一方の側面部（係止部）、３１ｃ 脚部兼用の係止部、３３ 連結軸、３５ ロック手段、３６ ロックバー、Ａ 回転ローラ２の回転方向、Ｂ 圧搾ローラの回転方向、Ｆ 補助フレーム
【図１】
0004005223.tif 000002
【図２】
0004005223.tif 000003
【図３】
0004005223.tif 000004
【図４】
0004005223.tif 000005
【図５】
0004005223.tif 000006
【図６】
0004005223.tif 000007
【図７】
0004005223.tif 000008
【図８】
0004005223.tif 000009
【図９】
0004005223.tif 000010
【図１０】
0004005223.tif 000011